(57)【特許請求の範囲】
【請求項１】
医療用画像システムから複数のマップ地点を受容するよう構成された第１のインターフェイスであって、各マップ地点は、医療用プローブを身体器官の表面に近接させることにより測定された前記表面上の対応する座標と、前記対応する座標にて前記医療用プローブにより測定された組織特性の対応する値とを含む、第１のインターフェイスと、
前記マップ地点が表示される箇所の前記マップ地点の空間密度を特定する操作者入力を受容するよう構成された第２のインターフェイスと、
前記操作者入力に応答して前記マップ地点のサブセットを選択し、前記マップ地点の前記選択されたサブセットを表示することにより、前記表面を前記特定された空間密度において可視化するよう構成されたプロセッサと、を備える、装置。
【請求項２】
前記プロセッサが、前記組織特性の対応する値を、前記マップ地点の選択されたサブセットで表示するよう構成されている、請求項１に記載の装置。
【請求項３】
前記組織特性が、電位、局部的賦活時間（ＬＡＴ）、組織インピーダンス、組織の機械的特性、前記プローブにより前記表面に適用された力、及びアブレーションパラメータからなる種類の群から選択される少なくとも１つの特性の種類を含む、請求項２に記載の装置。
【請求項４】
メモリを備え、前記プロセッサが、前記複数のマップ地点を、前記サブセットの選択に関係なく前記メモリ内に保持するよう構成されている、請求項１に記載の装置。
【請求項５】
前記操作者入力が、前記表面の１つ又は２つ以上の領域を特定し、前記プロセッサが、前記サブセットを選択し、前記表面を前記特定の領域内のみにて前記特定された空間密度で可視化するよう構成されている、請求項１に記載の装置。
【請求項６】
前記領域が、少なくとも第１の領域及び第２の領域を含み、前記操作者入力が、互いに異なる前記マップ地点の第１の空間密度及び第２の空間密度を特定し、前記プロセッサが、前記サブセットを選択し、前記表面を前記第１の領域及び第２の領域内にて前記対応する第１の空間密度及び第２の空間密度で可視化するよう構成されている、請求項５に記載の装置。
【請求項７】
前記操作者入力が、可視化されない１つ又は２つ以上のマップ地点を特定し、前記プロセッサが、前記特定された空間密度を維持すると共に、前記１つ又は２つ以上のマップ地点を対応する他のマップ地点と置き換えるよう構成されている、請求項１に記載の装置。
【請求項８】
前記プロセッサが、前記表面全体にわたり均一に分布された前記マップ地点を選定することにより、前記サブセットを選択するよう構成されている、請求項１に記載の装置。
【請求項９】
前記プロセッサが、前記複数のマップ地点により規定される三次元エンベロープに最も接近した前記マップ地点を選定することにより、前記サブセットを選択するよう構成されている、請求項１に記載の装置。
【請求項１０】
非一時的なコンピュータ可読媒体であって、前記媒体内にプログラム命令が格納されており、前記命令は、コンピュータにより読み取られた際に、前記コンピュータに、
医療用画像システムから複数のマップ地点を受容させ、各マップ地点は、医療用プローブを身体器官の表面に近接させることにより測定された前記表面上の対応する座標と、前記対応する座標にて前記医療用プローブにより測定された組織特性の対応する値とを含んでおり、
前記マップ地点が表示される箇所の前記マップ地点の空間密度を特定する操作者入力を受容させ、
前記操作者入力に応答して前記マップ地点のサブセットを選択させ、
前記マップ地点の前記選択されたサブセットを表示することにより前記特定された空間密度において前記表面を可視化させる、
非一時的なコンピュータ可読媒体。
【発明の詳細な説明】
【技術分野】
【０００１】
本発明は、一般に医療用画像に関し、より詳細には、身体器官の表面の可視化に関する。
【背景技術】
【０００２】
電気生理学的診断手技（例えば、心臓内電気マッピング）では、侵襲性医療用プローブが身体器官の空洞内に導入される。プローブが器官内の特定の地点に配置されている時に、プローブは特定の情報（例えば、電位）を測定し、測定値をマッピングシステムに伝達する。マッピングシステムは、器官内の対応する位置の測定値を含むマップを形成する。マップは、器官に様々な診断及び治療手技を適用するのに使用することができる。
【発明の概要】
【課題を解決するための手段】
【０００３】
本明細書に記載される本発明の実施形態は、
医療用画像システムから複数のマップ地点を受容することであって、各マップ地点は、医療用プローブを身体器官の表面に近接させることにより測定された表面上の対応する座標を含む、ことと、
マップ地点が表示される箇所の空間密度を特定する操作者入力を受容することと、
操作者入力に応答してマップ地点のサブセットを選択することと、
マップ地点の選択されたサブセットを表示することにより、表面を特定の空間密度において可視化することと、を含む方法を提供する。
【０００４】
いくつかの実施形態では、各マップ地点は、対応する座標にて医療用プローブで測定された組織特性の対応する値を含み、表面の可視化は、マップ地点の選択されたサブセットで組織特性の対応する値を表示することを含む。いくつかの実施形態では、組織特性は、電位、局部的賦活時間（Local Activation Time）（ＬＡＴ）、組織インピーダンス、組織の機械的特性、プローブにより表面に適用された力、及びアブレーションパラメータからなる種類の群から選択される少なくとも１つの特性の種類を含む。一実施形態において、本方法は、複数のマップ地点を、サブセットの選択に関係なくメモリ内に保持することを含む。
【０００５】
開示した実施形態において、操作者入力は、表面の１つ又は２つ以上の領域を特定し、サブセットの選択及び表面の可視化は、サブセットを選定し、表面を特定の領域内のみにて特定の空間密度で表示することを含む。一実施形態において、領域は、少なくとも第１の領域及び第２の領域を含み、操作者入力は、互いに異なる第１の空間密度及び第２の空間密度を特定し、サブセットの選択及び表面の可視化は、サブセットを選定し、表面を第１の領域及び第２の領域内にて、対応する第１の空間密度及び第２の空間密度で表示することを含む。
【０００６】
別の実施形態では、操作者入力は、可視化されない１つ又は２つ以上のマップ地点を特定し、サブセットの選択は、特定の空間密度を維持すると共に、１つ又は２つ以上のマップ地点を対応する他のマップ地点と置き換えることを含む。更なる別の実施形態では、サブセットの選択は、表面全体にわたり均一に分布されたマップ地点を選定することを含む。尚別の実施形態では、サブセットの選択は、複数のマップ地点により規定される三次元エンベロープに最も接近したマップ地点を選定することを含む。
【０００７】
更に本発明の一実施形態によれば、
医療用画像システムから複数のマップ地点を受容するよう構成された第１のインターフェイスであって、各マップ地点は、医療用プローブを身体器官の表面に近接させることにより測定された表面上の対応する座標を含む、第１のインターフェイスと、
マップ地点が表示される箇所の空間密度を特定する操作者入力を受容するよう構成された第２のインターフェイスと、
操作者入力に応答してマップ地点のサブセットを選択し、マップ地点の選択されたサブセットを表示することにより、表面を特定の空間密度において可視化するよう構成されたプロセッサと、を備える、装置が提供される。
【０００８】
本発明の実施形態によれば、非一時的な（non-transitory）コンピュータ可読媒体を含むコンピュータソフトウエア製品が更に提供され、前記媒体内にプログラム命令が格納され、前記命令は、コンピュータにより読み取られた際に、コンピュータに医療用画像システムから複数のマップ地点を受容させ（各マップ地点は、医療用プローブを身体器官の表面に近接させることにより測定された表面上の対応する座標を含む）、マップ地点が表示される箇所の空間密度を特定する操作者入力を受容させ、操作者入力に応答してマップ地点のサブセットを選択させ、マップ地点の選択されたサブセットを表示することにより特定の空間密度において表面を可視化させる。
【０００９】
本発明は、以下のより詳細な実施形態と、その図面の記述により、より完全に理解され得る。
【図面の簡単な説明】
【００１０】
【図１】開示した本発明の実施形態による、操作者制御によるマップ地点密度を実施している心臓内マッピングシステムの概略絵画図。
【図２】開示した本発明の実施形態による、操作者制御によるマップ地点密度を実施している心臓内マッピングシステムの要素を概略的に示すブロック図。
【図３】開示した本発明の実施形態による、心室の電気マップの一例を示す図。
【図４】開示した本発明の実施形態による、操作者制御によるマップ地点密度を有する電気マップを生成する方法を概略的に示す流れ図。
【発明を実施するための形態】
【００１１】
概観
生理学的又は解剖学的マッピング手技は、一般に医療用画像システムから収集されたマップ地点を含むマップを形成する。各マップ地点は、対応する身体器官内の座標と、場合により、対応する座標にて医療用プローブにより収集された生理学的特性とを含む。生理学的特性は、一般に、医療用プローブを身体器官の表面にごく接近させることにより測定される。マップは、操作者、例えば医療専門家に表示される。
【００１２】
多くの場合、より良好な品質感覚及びマップのサンプリング密度を操作者に与えるように、マップ地点を高密度で表示することが有利である。しかしながら、いくつかの状況では、操作者は、表示されたマップ地点の密度が高すぎることを見出す場合がある。例えば、操作者は、マップ上の少なくとも所定の領域での非常に多数のマップ地点が、処置に関連した情報を不明瞭にすることを見出す場合がある。そのような状況は、例えば多数のマッピング電極を有するプローブを使用する際に生じ得るが、本明細書に開示した技術は、そのような場合に限定されるものではない。
【００１３】
以下に記載する本発明の実施形態は、操作者が、表示されるマップ地点における空間密度を特定できる方法及びシステムを提供する。操作者は、マップの１つ又は２つ以上の特定の領域、又はマップ全体に関するマップ地点密度を特定し得る。操作者が所望の空間密度を特定したら、獲得したマップ地点のサブセットが自動的に選定される。次いで、マップが特定の密度で操作者に表示される。マップ地点のサブセットを自動的に選択するためのいくつかの基準の例は、本明細書に記載されている。典型的には、当初密度での元のマップ地点はメモリ内に保持されるため、当初の（高い）空間密度は、データを損失することなくリセットされることができる。
【００１４】
本明細書に記載する方法及びシステムは、マッピング及び可視化プロセスに対してより大きな制御を提供し、それにより正確性又は品質を損ねることなくマッピングシステムの使用者利便性を向上させる。
【００１５】
システムの説明
図１は、開示した本発明の実施形態による、操作者制御によるマップ地点密度を実施している心臓内マッピングシステム２０の概略絵画図である。システム２０は、カテーテル等のプローブ２２及び制御コンソール２４を備える。以下に記載する実施形態では、プローブ２２は、例えば患者３０の心臓２６内の電位のマッピング等、診断的又は治療的処置に使用されるものと想定する。あるいは、プローブ２２は、心臓又はその他の身体器官において、他の治療及び／又は診断目的のために使用されてもよい。
【００１６】
操作者２８は、患者３０の血管系内にプローブ２２を挿入し、プローブ２２の遠位端３２が心臓２６の心腔内に入るようにする。システム２０は磁気位置検知を用いて、心臓２６内の遠位端３２の位置座標を決定する。コンソール２４は、患者３０の外部の公知の位置、例えば患者の胴体の下方に配置された磁場発生装置３６を駆動するドライバーサーキット３４を含む。プローブ２２の遠位端３２に結合された磁場変換器（図示せず）は、コイルからの磁場に応答して電気信号を生成し、それによりコンソール２４は、心室内での遠位端３２の位置を決定することができる。
【００１７】
本発明の例では、システム２０は磁気ベースのセンサを使用して遠位端３２の位置を測定するが、他の位置追跡技術を使用してもよい（例えば、インピーダンスベースのセンサ）。磁気位置追跡技術は、例えば米国特許第５，３９１，１９９号、同第５，４４３，４８９号、同第６，７８８，９６７号、同第６，６９０，９６３号、同第５，５５８，０９１号、同第６，１７２，４９９号、同第６，１７７，７９２号に記載されており、これらの開示は参照により本明細書に組み込まれる。インピーダンスベースの位置追跡技術は、例えば米国特許第５，９８３，１２６号、同第６，４５６，８６４号及び同第５，９４４，０２２号に記載されており、これらの開示は参照により本明細書に組み込まれる。
【００１８】
問題の心室をマッピングするために、操作者２８は遠位端３２を心室の内側表面上の（又は内側表面にごく接近させて）多数の位置に位置付ける。遠位端に結合された電極（図示せず）は、各位置において所定の生理学的特性、本発明の例では局所表面電位を測定する。システム２０は位置測定値と電位測定値とを相互に関連付ける。かくして、システムは多数のマップ地点を収集し、各マップ地点は、心室内側表面上の座標と、この座標における対応する電位測定値とを含む。
【００１９】
コンソール２４はプロセッサ３８を含み、前記プロセッサ３８は、獲得したマップ地点を示すマップ４０を生成及び表示する。かくして、マップ４０（電気マップとも称する）は、心室表面全体にわたる電位の分布を可視化する。プロセッサ３８は、マップ４０をディスプレイ４２により操作者２８に表示する。操作者２８は、入力デバイス４４の群を使用してディスプレイ上にてマップ４０を操作することができる。詳細には、操作者２８は、以下に説明するように、マップ地点が表示される箇所の密度を制御することができる。
【００２０】
プロセッサ３８は通常、プローブ２２からの信号を受信しコンソール２４の他の構成要素を制御するのに適したフロントエンド回路及びインターフェース回路を有する、汎用コンピュータを備えている。プロセッサ３８は、本明細書に記載されている機能を実行するよう、ソフトウェアにプログラムすることができる。このソフトウエアは、例えばネットワークを通じて電子的形態でコンソール２４にダウンロードされることができ、又は、光学的、磁気的、若しくは電子的記録媒体等の実体のある非一時的な媒体により提供されることができる。あるいは、プロセッサ３８のいくつかの又は全部の機能は、専用の又はプログラム可能なデジタルハードウエア構成成分により実行され、又はハードウエア及びソフトウエア要素の組み合わせを使用して実行されることができる。
【００２１】
図２は、開示した本発明の実施形態による、コンソール２４の要素を概略的に示すブロック図である。心臓内データ獲得モジュール５０は、プローブ２２からの電位測定値と位置信号とを受信及び処理する。モジュール５０はプローブから受信した信号をマップ地点に変換し、このマップ地点を可変−密度マッピングモジュール５２に伝送する。各マップ地点は、心室表面上の位置座標と、この座標における電位とを含む。
【００２２】
プロセッサ３８はインターフェイス５４からマップ地点を収集し、収集した全マップ地点を含む当初電気マップを生成する。プロセッサ３８は一般に、収集したマップ地点をメモリ５６内に格納し、当初マップをディスプレイ４２上に提示する。メモリ５６は、例えばランダムアクセスメモリ又はハードディスクドライブ等の任意の好適な揮発性及び／又は非揮発性メモリを含んでもよい。プロセッサ３８はまた、入力デバイス４４からインターフェイス５８を介して操作者入力を受信する。操作者入力は、マップのための希釈された（即ち、より低い）マップ地点密度値を特定する。いくつかの実施形態では、操作者入力は、希釈マップ地点密度で表示される、当初マップの選択された領域も特定する。プロセッサ３８は操作者入力に基づいて、特定のマップ地点密度を有する希釈電気マップを形成する。プロセッサ３８は希釈マップをディスプレイ４２上で操作者２８に表示し、またこの希釈マップをメモリ５６内に格納してもよい。
【００２３】
可変密度マップ生成
前述したように、本明細書に記載する方法及びシステムは、操作者２８がより低い空間密度を特定して、電気マップのマップ地点を表示できるようにする。操作者２８が所望のマップ地点密度を特定した後、プロセッサ３８は、特定の空間密度を有する、獲得したマップ地点のサブセットを自動的に選択する。プロセッサ３８は、マップ地点のサブセットを選択するために、任意の好適な基準を用いてもよい。例えば、プロセッサ３８は、ほぼ均一の範囲を提供するマップ地点を選択してもよい。別の例として、プロセッサ３８は当初マップにより規定される三次元エンベロープに最も接近したマップ地点を選択してもよい。上記のように、プロセッサ３８はこのプロセスを、マップ全体に又は操作者により特定されるマップの１つ又は２つ以上の領域に実行することができる。
【００２４】
いくつかの実施形態では、プロセッサ３８は、操作者２８が（入力デバイス４４を使用して）マップ４０の、又はマップ４０の一部のマップ地点密度を制御することを可能にするユーザインターフェイスをディスプレイ４２上に提示してもよい。加えて、又は別の方法としては、ユーザインターフェイスは、操作者２８が現在表示されているマップ上に示される所望されないマップ地点を、入力デバイス４４を使用して選択することを可能にしてもよい。次いで、プロセッサ３８は選択地点を除去し、その選択地点を自動的に他のマップ地点と置き換えて所望のマップ地点密度を維持する。
【００２５】
図３は、開示した本発明の実施形態による、心臓内電気マップ４０の一例を概略的に示す。マップ４０は当初、当初マップ６０を含み、前記当初マップ６０は、プローブ２２により収集された全マップ地点を含む。図３では、異なる電位レベルが異なる陰影パターンを使用して可視化されている。実際のシステムでは、異なる電位は例えば、異なる色を使用して、又は任意の他の好適な図画特徴を使用して可視化され得る。
【００２６】
領域６２は操作者２８により、より低いマップ地点密度を表示するように選択される。領域６２は、プロセッサ３８により自動的に選択された複数のマップ地点６４を含み、より低いマップ地点密度を有する。領域６２をより低いマップ地点密度で提示することにより、領域を元のマップ地点密度で表示するのと比較して、領域内の電位のよりくっきりとした表示を操作者２８に提示することができる。
【００２７】
図４は、開示した本発明の実施形態による、操作者制御によるマップ地点密度を有する電気マップを生成する方法を概略的に示す流れ図である。プロセッサ３８は、心室の内側表面上の対応する位置にて獲得した位置及び電位測定値をプローブ２２から受容する（工程７０）。プロセッサ３８は、収集した測定値を使用して、複数のマップ地点、即ち心室２６に関する電位の当初マップを生成する（工程７２）。プロセッサ３８はマップ地点をメモリ５６内に格納し、当初電気マップをディスプレイ４２上に提示する。
【００２８】
操作者２８は、入力デバイス４４を使用して、所望のマップ地点密度を特定する（工程７４）。例えば、操作者２８は、地点密度を直接入力し、又はディスプレイ上に提示される所定のリストからマップ地点密度を選択し、又は任意の他の手段を使用して所望の密度を特定してもよい。いくつかの実施形態では、操作者２８はまた入力デバイス４４を使用して、特定のマップ地点密度により表示される１つ又は２つ以上の領域（例えば、図３に示す領域６２）を選択する（工程７６）。概して、操作者２８は、連続又は不連続の多数の領域を選択し得る。あるいは、操作者２８は、マップ全体に関するマップ地点密度を特定してもよい。操作者２８が多数の領域を選択した場合、操作者は、各領域に関して異なる密度を特定し、又は２つ又は３つ以上の領域に関して同一の密度を特定することができる。
【００２９】
プロセッサ３８は、選択された領域（１つ又は複数）にて特定の密度を有する希釈マップを形成する（工程７８）。プロセッサは、特定の密度を有する当初マップ地点のサブセットを選択することにより、希釈マップを生成する。プロセッサは希釈マップをメモリ５６内に格納し、操作者２８にディスプレイ４２上で希釈マップを提示する（工程８０）。いくつかの実施形態では、メモリ５６は電気マップの多数のバージョン（当初マップを含む）を格納してもよく、各バージョンは異なる地点密度を有する。操作者２８は、入力デバイス４４を使用して、バージョン間を切り替えることができる。
【００３０】
いくつかの実施形態では、図４の方法はリアルタイムで実行され、即ちプローブ２２による測定を行うと同時に又は測定した直後に実行される。別の実施形態では、図４の方法はオフラインで実行され、即ち予め獲得及び格納した当初マップ地点に適用される。
【００３１】
本明細書に記載した実施形態は、主として単極電圧及び両極電圧等の電位を可視化する電気マップを指す。代替的な実施形態では、開示した技術は、身体内の対応する位置でプローブにより測定された任意の他の組織特性、例えば組織の局部的賦活時間（ＬＡＴ）、組織インピーダンス、例えば緊張等の組織の機械的特性を可視化するマップ地点の加工に使用されてもよい。加えて、又は別の方法としては、開示した技術は、測定値に関連した特性、又はプローブにより組織上に適用される力、接触情報及びアブレーションパラメータ等の、当該医療処置に関連した特性を可視化するマップ地点の処理に使用されてもよい。更に別の方法としては、マップ地点は、器官の解剖学的マッピングを行う際等、いずれの生理学的特性も有さない座標のみを含んでもよい。
【００３２】
以下の請求項における全ての手段又は工程、更には機能要素に対応する構造、材料、行為、及び等価物は、特に請求されるように、任意の構造、材料、又はその他請求された要素と組み合わせて機能を行うための行為を含むことを目的とする。本開示の説明は、実例及び説明の目的で提示しているが、包括的であること、又は本開示で開示される形状に限定されることを意図しない。本開示の範囲及び趣旨から逸脱することなく、多くの改変や変更が当業者にとって明らかであろう。これらの実施形態は、本開示の原理及び実際的な用途を最も良く説明し、様々な変更形態を伴う様々な実施形態について、他の当業者が本開示を理解することを可能にするために選択され、説明されたものであり、企図される特定の使用に適したものである。
【００３３】
添付した特許請求の範囲では、本開示の趣旨及び範囲内に該当する全てのかかる特徴及び利点を含むものとする。当業者であれば多くの改変及び変更を容易に思いつくため、本開示は、本明細書に記載される、限定された数の実施形態に限定することを意図しない。したがって、当然のことながら、本開示の趣旨及び範囲内に該当する、好適な全ての変化、改変、及び等価物が使用可能である。
【００３４】
〔実施の態様〕
（１）  医療用画像システムから複数のマップ地点を受容することであって、各マップ地点は、医療用プローブを身体器官の表面に近接させることにより測定された前記表面上の対応する座標を含む、ことと、
前記マップ地点が表示される箇所の空間密度を特定する操作者入力を受容することと、
前記操作者入力に応答して前記マップ地点のサブセットを選択することと、
前記マップ地点の前記選択されたサブセットを表示することにより、前記表面を前記特定の空間密度において可視化することと、を含む、方法。
（２）  各マップ地点が、前記対応する座標にて前記医療用プローブにより測定された組織特性の対応する値を含み、前記表面の可視化が、前記組織特性の対応する値を、前記マップ地点の選択されたサブセットで表示することを含む、実施態様１に記載の方法。
（３）  前記組織特性が、電位、局部的賦活時間（ＬＡＴ）、組織インピーダンス、組織の機械的特性、前記プローブにより前記表面に適用された力、及びアブレーションパラメータからなる種類の群から選択される少なくとも１つの特性の種類を含む、実施態様２に記載の方法。
（４）  前記複数のマップ地点を、前記サブセットの選択に関係なくメモリ内に保持することを含む、実施態様１に記載の方法。
（５）  前記操作者入力が、前記表面の１つ又は２つ以上の領域を特定し、前記サブセットの選択及び前記表面の可視化が、前記サブセットを選定し、前記表面を前記特定の領域内のみにて前記特定の空間密度で表示することを含む、実施態様１に記載の方法。
（６）  前記領域が、少なくとも第１の領域及び第２の領域を含み、前記操作者入力が、互いに異なる第１の空間密度及び第２の空間密度を特定し、前記サブセットの選択及び前記表面の可視化が、前記サブセットを選定し、前記表面を前記第１の領域及び第２の領域内にて前記対応する第１の空間密度及び第２の空間密度で表示することを含む、実施態様５に記載の方法。
（７）  前記操作者入力が、可視化されない１つ又は２つ以上のマップ地点を特定し、前記サブセットの選択が、前記特定の空間密度を維持すると共に、前記１つ又は２つ以上のマップ地点を対応する他のマップ地点と置き換えることを含む、実施態様１に記載の方法。
（８）  前記サブセットの選択が、前記表面全体にわたり均一に分布された前記マップ地点を選定することを含む、実施態様１に記載の方法。
（９）  前記サブセットの選択が、前記複数のマップ地点により規定される三次元エンベロープに最も接近した前記マップ地点を選定することを含む、実施態様１に記載の方法。
（１０）  医療用画像システムから複数のマップ地点を受容するよう構成された第１のインターフェイスであって、各マップ地点は、医療用プローブを身体器官の表面に近接させることにより測定された前記表面上の対応する座標を含む、第１のインターフェイスと、
前記マップ地点が表示される箇所の空間密度を特定する操作者入力を受容するよう構成された第２のインターフェイスと、
前記操作者入力に応答して前記マップ地点のサブセットを選択し、前記マップ地点の前記選択されたサブセットを表示することにより、前記表面を前記特定の空間密度において可視化するよう構成されたプロセッサと、を備える、装置。
【００３５】
（１１）  各マップ地点が、前記対応する座標にて前記医療用プローブにより測定された組織特性の対応する値を含み、前記プロセッサが、前記組織特性の対応する値を、前記マップ地点の選択されたサブセットで表示するよう構成されている、実施態様１０に記載の装置。
（１２）  前記組織特性が、電位、局部的賦活時間（ＬＡＴ）、組織インピーダンス、組織の機械的特性、前記プローブにより前記表面に適用された力、及びアブレーションパラメータからなる種類の群から選択される少なくとも１つの特性の種類を含む、実施態様１１に記載の装置。
（１３）  メモリを備え、前記プロセッサが、前記複数のマップ地点を、前記サブセットの選択に関係なく前記メモリ内に保持するよう構成されている、実施態様１０に記載の装置。
（１４）  前記操作者入力が、前記表面の１つ又は２つ以上の領域を特定し、前記プロセッサが、前記サブセットを選択し、前記表面を前記特定の領域内のみにて前記特定の空間密度で可視化するよう構成されている、実施態様１０に記載の装置。
（１５）  前記領域が、少なくとも第１の領域及び第２の領域を含み、前記操作者入力が、互いに異なる第１の空間密度及び第２の空間密度を特定し、前記プロセッサが、前記サブセットを選択し、前記表面を前記第１の領域及び第２の領域内にて前記対応する第１の空間密度及び第２の空間密度で可視化するよう構成されている、実施態様１４に記載の装置。
（１６）  前記操作者入力が、可視化されない１つ又は２つ以上のマップ地点を特定し、前記プロセッサが、前記特定の空間密度を維持すると共に、前記１つ又は２つ以上のマップ地点を対応する他のマップ地点と置き換えるよう構成されている、実施態様１０に記載の装置。
（１７）  前記プロセッサが、前記表面全体にわたり均一に分布された前記マップ地点を選定することにより、前記サブセットを選択するよう構成されている、実施態様１０に記載の装置。
（１８）  前記プロセッサが、前記複数のマップ地点により規定される三次元エンベロープに最も接近した前記マップ地点を選定することにより、前記サブセットを選択するよう構成されている、実施態様１０に記載の装置。
（１９）  非一時的なコンピュータ可読媒体を含むコンピュータソフトウエア製品であって、前記媒体内にプログラム命令が格納され、前記命令は、コンピュータにより読み取られた際に、前記コンピュータに医療用画像システムから複数のマップ地点を受容させ（各マップ地点は、医療用プローブを身体器官の表面に近接させることにより測定された前記表面上の対応する座標を含む）、前記マップ地点が表示される箇所の空間密度を特定する操作者入力を受容させ、前記操作者入力に応答して前記マップ地点のサブセットを選択させ、前記マップ地点の前記選択されたサブセットを表示することにより前記特定の空間密度において前記表面を可視化させる、コンピュータソフトウエア製品。
【図１】
0005913840.tif 000002
【図２】
0005913840.tif 000003
【図３】
0005913840.tif 000004
【図４】
0005913840.tif 000005